(57)【要約】【課題】外蓋が不用意に開放されることがあっても、中蓋が簡単に開放されることのない新規なコンパクトを提案する。【解決手段】気密コンパクトは、化粧料を充填する中皿２を、パフ等の塗布具を収納する収納空間とともに配設した容器本体１と、この容器本体１に第１の枢軸Ｓ１を介して開閉可能に保持された外蓋４と、中皿２に第２の枢軸Ｓ２を介して開閉可能に保持され中皿２を気密状態に維持する中蓋５とを備える。容器本体１の台座１ｆに当接可能な凸部６ｂを備える摺動体６が、中蓋５の第２枢軸Ｓ２の相対縁部５ａに摺動自在に嵌合している。容器本体１の台座１ｆの上面１ｆ′′が、中皿２に向かって高さの増加する傾斜面である。【選択図】図１
2008212231.tif 000002
【特許請求の範囲】
【請求項１】
化粧料を充填する中皿を、パフ等の塗布具を収納する収納空間とともに配設した容器本体と、この容器本体に第１の枢軸を介して開閉可能に保持された外蓋と、前記中皿に第２の枢軸を介して開閉可能に保持され該中皿を気密状態に維持する中蓋とを備えた気密コンパクトにおいて、
容器本体の台座に当接可能な凸部を備える摺動体が、前記中蓋の、前記第２枢軸に相対する縁部に摺動自在に嵌合しており、
前記容器本体の台座の上面が、前記中皿に向かって高さの増加する傾斜面であることを特徴とする気密コンパクト。
【発明の詳細な説明】
【技術分野】
【０００１】
この発明は、化粧料を充填する中皿を、パフ等の塗布具を収納する収納空間とともに配設した容器本体と、この容器本体に第１の枢軸を介して開閉可能に保持された外蓋と、前記中皿に第２の枢軸を介して開閉可能に保持され該中皿を気密状態に維持する中蓋とを備えた気密コンパクト、特にはファンデーションやアイシャドー等の化粧料を収納する気密コンパクトに関するものであり、かかるコンパクトの気密性の一層の向上を図る。
【背景技術】
【０００２】
ファンデーションやアイシャドー等の化粧料は近年、揮発成分を含んだものが多用されている。そして、このような揮発成分を含んだ化粧料はその揮散が避けられないので気密性の高いコンパクト、いわゆる気密コンパクトが使用されている。
【０００３】
気密性を高めるための具体的な構造としては、従来、コンパクトの内側に中蓋を備えたレフィルタイプの容器（中皿）を別途に配置し、蓋体を閉じる時に、かかる蓋体によって中蓋を中皿の開口部に押しつける構造が採用されていた（例えば、特許文献１参照）。
【特許文献１】特許第３７７８３０８号公報
【発明の開示】
【発明が解決しようとする課題】
【０００４】
しかしながら、上記のような従来技術のコンパクトは、使い勝手の改善を図ることを目的として、容器本体側に組み込まれたプッシュピースに、容器本体を覆う蓋体（外蓋）と容器本体との係合を解除する第１解除部と、中蓋と中皿の係合を解除する第２解除部をそれぞれ設け、外蓋の開放と同時に中蓋を開放する仕組みになっていることから、例えば、コンパクトの携行時等にプッシュピースが不用意に押圧された場合に、中蓋と中皿との係合も解除されてしまい、揮発成分を含む内容物にあってはその成分の揮散が避けられない状況にあった。
【０００５】
したがって、この発明は、従来技術が抱えるこのような問題点を解決することを課題とするものであり、その目的は、上述のように外蓋が不用意に開放されることがあっても、中蓋が簡単に開放されることのない新規なコンパクトを提案することにある。
【課題を解決するための手段】
【０００６】
上記の目的を達成するため、この発明は、化粧料を充填する中皿を、パフ等の塗布具を収納する収納空間とともに配設した容器本体と、この容器本体に第１の枢軸を介して開閉可能に保持された外蓋と、前記中皿に第２の枢軸を介して開閉可能に保持され該中皿を気密状態に維持する中蓋とを備えた気密コンパクトにおいて、容器本体の台座に当接可能な凸部を備える摺動体が、前記中蓋の、前記第２枢軸に相対する縁部に摺動自在に嵌合しており、前記容器本体の台座の上面が、前記中皿に向かって高さの増加する傾斜面であることを特徴とする気密コンパクトである。かかる構成を採用することにより、容器本体の外蓋を開放する機構と、中蓋を開放する機構を互いに独立して作動することができる。なお、ここでいう「第２枢軸に相対する縁部」とは、中皿の重心位置を挟んで第２枢軸に対向する縁部を意味する。
【発明の効果】
【０００７】
この発明によれば、容器本体の外蓋を開放する機構と、中蓋を開放する機構をそれぞれ別構造にしたので、容器本体の外蓋が不用意に開放されても中皿は確実に気密状態を維持することが可能となり、内容物の揮発成分が揮散することはない。
【発明を実施するための最良の形態】
【０００８】
以下、図面を参照しつつこの発明の実施の形態を説明する。
図１はこの発明の代表的な気密コンパクト（以下「コンパクト」という。）の平面図であり、外蓋を取り外した状態で示しており、図２は図１に示すコンパクトのＡ−Ａ線上における断面図であり、図３は図１のコンパクトのＢ−Ｂ線上における断面図である。
【０００９】
コンパクトの基本骨格をなす容器本体１は、図示の例では、一対の短辺１ａ、１ｂと一対の長辺１ｃ、１ｄからなる矩形状であり、その内側にはフレーム１ｅによりパフ等の塗布具を収納する第１の凹部（収納空間）Ｍと後述する中皿を収納する第２の凹部がそれぞれ区画形成されている。
【００１０】
第２の凹部には、図２に示すように、中皿２が収納されている。この中皿２は、その内部に揮発成分を含む内容物（化粧料）が充填されており、レフィル容器として機能するように容器本体１に着脱自在に配置されている。
【００１１】
また、中皿２の外壁下部には、図２及び４に示すように、爪部３が一体的に設けられている。この爪部３は、図２に示すように、容器本体１（フレーム１ｅ）の台座１ｆの爪部１ｆ′及びフレーム１ｅに一体成形され中皿２の取り外しの際に弾性変形可能な逆Ｌ字状断面の係合片１ｇに連係させて中皿２を容器本体１に固定保持する。
【００１２】
図３に示すように、容器本体１の長辺１ｃには第１の枢軸Ｓ１が取り付けられており、この枢軸Ｓ１を介して外蓋４が容器本体１に開閉可能に保持されている。この外蓋４の反対側の長辺１ｄには容器本体１に設けられた爪部Ｐ１に連係するフック４ａが設けられている。
【００１３】
また、図１及び２に示すように、中皿２には、外蓋４とは別体の第２の枢軸Ｓ２が取り付けられており、この枢軸Ｓ２を介して中蓋５が中皿２に開閉可能に保持されている。この中蓋５は、外蓋４の開放状態で何らの規制を受けることなしに開放することができるように、枢軸Ｓ２が容器本体１の短辺１ａに設けられた切欠部ｈに配置される。なお、図示の形態では第２枢軸Ｓ２を中皿２に設け、中皿２の取り外しの際には中蓋５も同時に取り外されるよう構成しているが、第２枢軸Ｓ２はこれに限定されず、例えばフレーム上に第２枢軸を形成し、これに中蓋を回動可能に取り付けてもよく、あるいは、中蓋及びフレームに孔部を設け、中蓋及びフレームとは別体の第２枢軸をこれら孔部に通して構成してもよく、さらには、中蓋とフレーム若しくは中蓋と中皿をヒンジ結合してもよい。
【００１４】
また、中蓋５の枢軸Ｓ２に相対して、フランジ状の縁部５ａ（以下「相対縁部５ａ」という。）が設けられており、この相対縁部５ａには、摺動体６が摺動自在に嵌合している。図示の例では、相対縁部５ａの一部を取り除いて孔部５ｂを設けるとともに、摺動体６を、この孔部５ｂ内に摺動体６の先端に設けたフック６ａを配置しつつ、摺動体６のコの字状に形成された内面で相対縁部５ａに嵌合させた、いわゆるスライドピースとして構成されている。
【００１５】
さらに、図４に示すように、摺動体６は、下方に延びる凸部６ｂを備えており、この凸部６ｂの先端が容器本体１の台座１ｆの上面１ｆ′′に当接している。この台座１ｆの上面１ｆ′′は、中皿２に向かって、すなわち図では右方から左方に向かって高さの増加する傾斜面として形成されている。
【００１６】
図２及び４に示すように、中蓋５の裏側には、シール部材７が配設されている。このシール部材７はゴムやエラストマー等の軟質部材からなっており、中蓋５が中皿２に当接した際に弾性変形して中皿２を気密状態に保持する。
【００１７】
また、図１及び４に示すように、中蓋５の相対縁部５ａの上面には、突起部８が設けられている。この突起部８は外蓋４を閉じた際に中蓋５を中皿２に向けて押圧する押し代を確保するものであり、外蓋４の裏面に鏡が取り付けられている場合にはその鏡を介して押圧される。
【００１８】
図３に示すような、外蓋４が容器本体１を覆って完全に閉じた状態では、外蓋４のフック４ａは容器本体１に設けられた爪部Ｐ１に係合しており、中蓋５のフック５ｃは中皿２に設けられた爪部２ａに係合している。プッシュピースＰを押圧するとそれにつながる押圧片Ｐ２は爪部Ｐ１の基部に設けられた傾斜面に沿って上方へと滑動し、これによりフック４ａが押し上げられ、フック４ａと爪部Ｐ１との係合が解除される。この結果、外蓋４が容器本体１から離れて開く。
【００１９】
このとき中皿２に当接している中蓋５へは何らの力も作用することがないため、中皿２は気密状態を維持したままになっている。
【００２０】
中蓋５を開くには、中蓋５の相対縁部５ａに嵌合している摺動体６を中皿２に近接させる向きに力を加え、摺動体６の凸部６ｂを容器本体１の台座１ｆの傾斜面１ｆ′′に沿って上方へと滑動させる。これにより摺動体６に嵌合した相対縁部５ａも上方に移動し、フック５ｃが上方に引き上げられて、フック５ｃと爪部２ａとの係合が解除される。この結果、中蓋５が中皿２から離れて開く。
【００２１】
このように、この発明に従うコンパクトは、外蓋４と中蓋５とが異なる機構によって別個に開放することができるので、たとえ外蓋４が不用意に開放することがあっても中皿２には何らの影響もなく、内容物の揮発分が知らぬ間に揮散することがない。
【００２２】
なお、上述したところは、この発明の実施の形態の一部を示したにすぎず、この発明の趣旨を逸脱しない限り、これらの構成を相互に組み合わせたり、種々の変更を加えたりすることができる。例えば、図示の例では、外蓋４の開く方向と中蓋５の開く方向が互いに直交するように構成されているが、外蓋４及び中蓋５が同一の方向に開くように構成してもよい。また、摺動体６の円滑な摺動を妨げない限りは、孔部５ｂに代えて、相対縁部５ａに摺動体６のフック６ａを収容する凹部又は溝部を設けてもよい。
【産業上の利用可能性】
【００２３】
以上の説明から明らかなように、この発明により、容器本体の蓋体が不用意に開放されることがあっても内容物の品質を安定維持できる気密コンパクトの提供が可能となった。
【図面の簡単な説明】
【００２４】
【図１】この発明の代表的な気密コンパクトの平面図であり、外蓋を取り外した状態で示す。
【図２】図１に示すコンパクトのＡ−Ａ線上における断面図である。
【図３】図１に示すコンパクトのＢ−Ｂ線上における断面図である。
【図４】図２の要部を拡大して示した図である。
【符号の説明】
【００２５】
１  容器本体
１ａ、１ｂ  短辺
１ｃ、１ｄ  長辺
１ｅ  フレーム
１ｆ  台座
１ｆ′  爪部
１ｆ′′  上面
１ｇ  係合片
２  中皿
２ａ  爪部
３  爪部
４  外蓋
４ａ  フック
５  中蓋
５ａ  相対縁部
５ｂ  孔部
５ｃ  フック
６  摺動体
６ａ  フック
６ｂ  凸部
７  シール部材
８  突起部
Ｍ  凹部
Ｓ１  枢軸
Ｓ２  枢軸
Ｐ  プッシュピース
Ｐ１  爪部
Ｐ２  押圧片
ｈ  切欠部
【図１】
2008212231.tif 000003
【図２】
2008212231.tif 000004
【図３】
2008212231.tif 000005
【図４】
2008212231.tif 000006